(57)【要約】【解決手段】柄部２とその先端部に設けた刃部４とを備えた医療用刃物１を支持する保護ケース５において、柄部２を支持するホルダ６と、刃部４を収容する保管部７とを設けている。柄部２をホルダ６に支持した状態で、刃部４が保管部７に収容された保管状態Ｐと、刃部４が保管部７に収容されない着脱操作状態とを取り得るように、ホルダ６と保管部７とを回動支持部２５で回動可能に支持している。保管部７は刃部４の着脱操作状態で刃部４の左右方向Ｙの両側を開放する。【効果】医療用刃物１を保護ケース５に対し着脱する際に医療用刃物１の刃部４を損傷しにくくなる。【選択図】図１
2006158505.tif 000002
【特許請求の範囲】
【請求項１】
柄部とその先端部に設けた刃部とを備えた医療用刃物を支持する保護ケースにおいてその柄部を支持するホルダとその刃部を収容する保管部とを設け、この医療用刃物の柄部をホルダに支持した状態で、この医療用刃物の刃部が保管部に収容された保管状態と保管部に収容されない着脱操作状態とを取り得るように、この刃部と保管部とを互いに相対動させる可動手段を設けたことを特徴とする医療用刃物の保護ケース。
【請求項２】
前記可動手段は、保管部をホルダに対し移動させるように連結した可動連結部であることを特徴とする請求項１に記載の医療用刃物の保護ケース。
【請求項３】
前記可動連結部は、ホルダと保管部とを回動可能に支持した回動支持部であることを特徴とする請求項２に記載の医療用刃物の保護ケース。
【請求項４】
前記刃部の保管状態で前記保管部をホルダに対し保持するようにこの保管部とホルダとに係脱部を設けたことを特徴とする請求項２または請求項３に記載の医療用刃物の保護ケース。
【請求項５】
前記可動手段は、医療用刃物を支持してホルダ及び保管部に対し移動させるように設けた可動支持体であることを特徴とする請求項１に記載の医療用刃物の保護ケース。
【請求項６】
前記ホルダと保管部とは互いに相対動しないように一体的に設けられていることを特徴とする請求項５に記載の医療用刃物の保護ケース。
【請求項７】
前記ホルダは医療用刃物の柄部を載せて支持する載置台を備え、
前記保管部は、このホルダに対する柄部の着脱方向とこの柄部の長手方向とを含む面に対し直交する方向の両側で側壁を有し、
前記刃部は、保管状態でこの両側壁間の領域内に収容されるとともに、着脱操作状態でこの両側壁間の領域外に突出する
ことを特徴とする請求項１から請求項６のうちいずれかの請求項に記載の医療用刃物の保護ケース。
【請求項８】
前記刃部は、その着脱操作状態において、ホルダに対する柄部の着脱方向とこの柄部の長手方向とを含む面に対し直交する方向の両側で開放されることを特徴とする請求項７に記載の医療用刃物の保護ケース。
【発明の詳細な説明】
【技術分野】
【０００１】
本発明は、眼球などの生体組織を切開する各種手術用切断具として利用される医療用刃物を支持する保護ケースに関するものである。
【背景技術】
【０００２】
下記特許文献１では、外科用メスＭを外科用メスホルダ１に保管することができる。
【特許文献１】実公昭６２−２６０８７号公報
【発明の開示】
【発明が解決しようとする課題】
【０００３】
しかし、外科用メスＭを外科用メスホルダ１に支持したり外科用メスホルダ１から離脱させたりする際、外科用メスＭの先端部にある刃部が外科用メスホルダ１の両側縁２，４（両側壁）に接触して傷付くおそれがあった。この両側縁２，４（両側壁）の間隔を大きくすれば、刃部はこの両側縁２，４（両側壁）に接触しにくくなるが、外科用メスホルダ１のコンパクト性に欠ける問題があった。
【０００４】
この発明は、医療用刃物（外科用メスＭに該当）を保護ケース（外科用メスホルダ１に該当）に対し着脱する際に医療用刃物の刃部を保護することを目的としている。
【課題を解決するための手段】
【０００５】
後記実施形態の図面（図１〜３に示す第１実施形態、図８に示す第１実施形態の別例１、図９に示す第１実施形態の別例２、図４，５及び図６（ａ）（ｂ）に示す第２実施形態、図７（ａ）（ｂ）（ｃ）に示す第２実施形態の別例）の符号を援用して本発明を説明する。
【０００６】
請求項１の発明にかかる医療用刃物（１）の保護ケース（５）は、第１実施形態及びその別例１，２並びに第２実施形態及びその別例に対応し、下記のように構成されている。
医療用刃物（１）は柄部（２）とその先端部に設けた刃部（４）とを備えている。その医療用刃物（１）を支持する保護ケース（５）においては、その柄部（２）を支持するホルダ（６）とその刃部（４）を収容する保管部（７）とを設けている。この医療用刃物（１）の柄部（２）をホルダ（６）に支持した状態で、この医療用刃物（１）の刃部（４）が保管部（７）に収容された保管状態（Ｐ）と保管部（７）に収容されない着脱操作状態（Ｑ）とを取り得るように、この刃部（４）と保管部（７）とを互いに相対動させる可動手段（２５，３０）を設けている。
【０００７】
請求項１の発明では、着脱操作状態（Ｑ）で医療用刃物（１）の柄部（２）をホルダ（６）に支持したりホルダ（６）から離脱させたりする際、医療用刃物（１）の刃部（４）が保管部（７）に接触しにくくなる。
【０００８】
請求項１の発明を前提とする請求項２の発明（第１実施形態及びその別例１，２に対応）において、前記可動手段は保管部（７）をホルダ（６）に対し移動させるように連結した可動連結部（２５）である。この可動連結部については、請求項３の発明のように保管部（７）をホルダ（６）に対し回動させる構成以外に、保管部をホルダに対し平行移動させるようにしてもよい。また、後記実施形態のようにホルダ（６）と保管部（７）とを互いに分離して設けたり、ホルダと保管部とを一体に設けて薄肉状可撓部（可動連結部）で互いにつないだりしてもよい。ちなみに、この保管部については、刃部（４）を収容する機能を有する主体部（例えば、請求項７の発明で両側壁２０）のみが刃部（４）に対し移動する構成も含み、その主体部が保管部に該当する。
【０００９】
請求項２の発明を前提とする請求項３の発明（第１実施形態及びその別例１，２に対応）において、前記可動連結部はホルダ（６）と保管部（７）とを回動可能に支持した回動支持部（２５）である。
【００１０】
請求項２〜３の発明では、刃部（４）と保管部（７）とを互いに相対動させる可動手段を簡単な構成により実現することができる。
請求項２または請求項３の発明を前提とする請求項４の発明（第１実施形態及びその別例１，２に対応）においては、前記刃部（４）の保管状態（Ｐ）で前記保管部（７）をホルダ（６）に対し保持するようにこの保管部（７）とホルダ（６）とに係脱部（１７ａ，２７ａ）を設けている。請求項４の発明では、保管部（７）をホルダ（６）に対し係脱部（１７ａ，２７ａ）により位置決めして保護ケース（５）としての機能を高めることができる。
【００１１】
請求項１の発明を前提とする請求項５の発明（第２実施形態及びその別例に対応）において、前記可動手段は、医療用刃物（１）を支持してホルダ（６）及び保管部（７）に対し移動させるように設けた可動支持体（３０）である。この可動支持体については、第９の発明のように保管部（７）またはホルダ（６）に対し回動させる構成以外に、保管部またはホルダに対し平行移動させるようにしてもよい。また、後記実施形態のように可動支持体（３０）と保管部（７）とを一体に設けて互いにつないだり、可動支持体と保管部とを互いに分離して設けたりしてもよい。
【００１２】
請求項５の発明を前提とする請求項６の発明（第２実施形態及びその別例に対応）において、前記ホルダ（６）と保管部（７）とは互いに相対動しないように一体的に設けられている。
【００１３】
請求項５〜６の発明では、刃部（４）と保管部（７）とを互いに相対動させる可動手段を簡単な構成により実現することができる。
請求項１から請求項６のうちいずれかの請求項の発明を前提とする請求項７の発明は、第１実施形態及びその別例１，２並びに第２実施形態及びその別例に対応し、下記のように構成されている。
【００１４】
前記ホルダ（６）は医療用刃物（１）の柄部（２）を載せて支持する載置台（８）を備えている。前記保管部（７）は、このホルダ（６）に対する柄部（２）の着脱方向（Ｚ）とこの柄部（２）の長手方向（Ｘ２）とを含む面に対し直交する方向（Ｙ）の両側で側壁（２０）を有している。前記刃部（４）は、保管状態（Ｐ）でこの両側壁（２０）間の領域（Ｓ）内に収容されるとともに、着脱操作状態（Ｑ）でこの両側壁（２０）間の領域（Ｓ）外に突出する。この領域（Ｓ）は、両側壁（２０）のうち一方の側壁（２０）の外周縁部と他方の側壁（２０）の外周縁部とを互いに結ぶ閉じられた面で囲まれる空間である。請求項７の発明では、着脱操作状態（Ｑ）で柄部（２）をホルダ（６）に対し着脱する際、刃部（４）が保管部（７）の両側壁（２０）に接触しにくくなる。
【００１５】
請求項７の発明を前提とする請求項８の発明（第１実施形態及びその別例１，２並びに第２実施形態及びその別例に対応）において、前記刃部（４）は、その着脱操作状態（Ｑ）で、ホルダ（６）に対する柄部（２）の着脱方向（Ｚ）とこの柄部（２）の長手方向（Ｘ２）とを含む面に対し直交する方向（Ｙ）の両側で開放される。請求項８の発明では、着脱操作状態（Ｑ）で医療用刃物（１）の刃部（４）が保管部（７）に対しより一層接触しにくくなる。
【００１６】
請求項６の発明を前提とする第９の発明（第２実施形態に対応）において、前記可動支持体（３０）は、保管部（７）またはホルダ（６）に対しヒンジ（３１）により前記刃部（４）の保管状態（Ｐ）と着脱操作状態（Ｑ）との間で回動可能に支持されている。
【００１７】
請求項６の発明を前提とする第１０の発明（第２実施形態の別例に対応）において、前記可動支持体（３０）は、弾性を有し、前記刃部（４）が着脱操作状態（Ｑ）となるように弾性力により付勢され、前記刃部（４）の保管状態（Ｐ）でこの可動支持体（３０）が弾性力に抗して保持されるように可動支持体（３０）と保管部（７）またはホルダ（６）とに係脱部（３３，３４）を設けている。
【００１８】
第９〜１０の発明では、刃部（４）と保管部（７）とを互いに相対動させる可動手段としての可動支持体（３０）を簡単な構成により実現することができる。
【発明の効果】
【００１９】
本発明は、医療用刃物（１）を保護ケース（５）に対し着脱する際に医療用刃物（１）の刃部（４）を損傷しにくくなる。
【発明を実施するための最良の形態】
【００２０】
まず、本発明の第１実施形態にかかる医療用刃物の保護ケースについて図１〜３を参照して説明する。
医療用刃物１は、眼球の生体組織を切開する手術用切断具であって、頭部２ａと尻部２ｂとの間で細長く直線状に延びるプラスチック製の柄部２と、その頭部２ａに取着された金属製の刃板３とを備えている。この刃板３は、柄部２の長手方向Ｘ２へその頭部２ａから延びる基端側板部３ａと、この基端側板部３ａに対し傾斜するようにく形状に屈曲された先端側板部３ｂとからなる。この先端側板部３ｂの先端部に刃部４が設けられている。保護ケース５は、透明または半透明のプラスチックにより互いに分離されて成形されたホルダ６と保管部７とを備え、例えば、耐熱性や抗菌性を持たせている。
【００２１】
前記ホルダ６においては、前後方向Ｘ６へ延設された載置台８上の前端部の左右両側（前後方向Ｘ６に対し直交する左右方向Ｙの両側）で前側壁９が形成されているとともに、この載置台８上の後部の左右両側及び後端で後側壁１０及び後端壁１１が形成され、この左右両前側壁９と左右両後側壁１０との間で載置台８上に指掛切込み１２が形成されている。この左右両前側壁９と左右両後側壁１０と後端壁１１との間で載置台８上に収容溝１３が形成され、この収容溝１３の前端に開口１４が形成されているとともに、この収容溝１３の上方（前後方向Ｘ６と左右方向Ｙとに直交する上下方向Ｚにおける上方）に出入口１５が形成されている。この左右両前側壁９には切込み孔１６により片持ち梁状の係止ばね１７（板ばね）が形成され、この係止ばね１７の先端部に係脱部１７ａが形成されている。前記医療用刃物１の柄部２はこの収容溝１３に出入口１５から挿入されて載置台８上で支持され、この柄部２の頭部２ａ及び刃板３が開口１４から前方へ突出するとともに、この柄部２の尻部２ｂが引掛部１１ａに掛け止めされて後端壁１１に面する。
【００２２】
前記保管部７においては、底壁部１９と左右両側壁２０と前端壁２１と後端壁２２とで囲まれた収容室２３を有する収容部１８が形成されているとともに、この収容部１８の左右両側壁２０から後方へ延びる左右両腕部２４が形成され、この左右両腕部２４が前記ホルダ６の載置台８の外側で左右両前側壁９に当てがわれて回動支持部２５（可動手段である可動連結部）の左右両軸部２６により連結されている。この左右両軸部２６の軸心２６ａを中心に保管部７をホルダ６に対し上下方向Ｚへ回動させることができる。この保管部７の左右両腕部２４には切込み孔２７により片持ち梁状の解除ばね２８（板ばね）が形成され、この切込み孔２７の内周縁部に係脱部２７ａが形成されている。
【００２３】
図１に示すように、前記保管部７をホルダ６に対し上方へ回動させて前後方向Ｘ６で並べた保管状態Ｐでは、図３（ａ）に示すように前記保管部７の左右両腕部２４の解除ばね２８が前記ホルダ６の左右両前側壁９の係止ばね１７に面し、保管部７の回動軌跡で切込み孔２７の係脱部２７ａが係止ばね１７の係脱部１７ａに係止されて、ホルダ６に対する保管部７の回動を阻止する。また、この保管状態Ｐでは、前記医療用刃物１の柄部２がホルダ６に支持されてその柄部２の頭部２ａ側が前記ホルダ６の開口１４に面する前記保管部７の後端壁２２に挿通された状態で、この医療用刃物１の刃部４が下向き状態で保管部７の収容室２３に収容されて左右両側壁２０間の領域Ｓの内側にある。なお、この保管状態Ｐで保護ケース５の全長Ｌは約１５０ｍｍである。
【００２４】
前記保管状態Ｐで解除ばね２８を押すと、図３（ｂ）に示すように、保管部７の回動軌跡で切込み孔２７の係脱部２７ａが係止ばね１７の係脱部１７ａから外れて、ホルダ６に対する保管部７の回動を許容する。この保管部７をホルダ６に対し下方へ角度α（約９０度）だけ回動させて交差させると、図２に示す着脱操作状態Ｑとなり、医療用刃物１の刃部４の全体が下向き状態で保管部７の収容室２３から出されて左右両側壁２０間の領域Ｓの外側に突出し、この刃部４における左右方向Ｙの両側が開放される。この保管部７はホルダ６に当接する最大角度αｍまで回動する。この着脱操作状態Ｑで、柄部２を把持してホルダ６から上方（上下方向Ｚである着脱方向における上方）へ持ち上げ、この柄部２の尻部２ｂを引掛部１１ａから抜いて医療用刃物１を保護ケース５から取り外す。また、この着脱操作状態Ｑで、柄部２をホルダ６に向けて下方（上下方向Ｚである着脱方向における下方）へ近付け、この柄部２の尻部２ｂを引掛部１１ａに掛け止めた後、その柄部２をホルダ６に支持して医療用刃物１を保護ケース５に取り付ける。その後、この着脱操作状態Ｑから前記保管状態Ｐに戻す。なお、この着脱操作状態Ｑでは、水平な載置面Ｈにホルダ６の後端壁１１と保管部７の前端壁２１とを載せると、その後端壁１１及び前端壁２１が脚として機能するため、保護ケース５を載置面Ｈから浮かせて保持することができる。
【００２５】
次に、本発明の第２実施形態にかかる医療用刃物の保護ケースについて第１実施形態との相違点を中心に図４，５及び図６（ａ）（ｂ）を参照して説明する。
保護ケース５において、ホルダ６と保管部７とは一体に成形され、保管部７はホルダ６に対し回動しない。保管部７において、底壁部１９には切込み孔２９により可動支持体３０が形成されてヒンジ３１（切込み孔２９の内周縁部と可動支持体３０とをつなぐ薄肉状の可撓部）により上下方向Ｚへ回動し得る。この可動支持体３０の先端部にはホルダ６と保管部７との境界部付近で載置部３０ａが折曲可能に形成されている。図４及び図５に示す保管状態Ｐでは、医療用刃物１の柄部２の頭部２ａ付近が可動支持体３０の載置部３０ａ上に支持された状態で、その可動支持体３０が下方へ回動し、この医療用刃物１の刃部４が下向き状態で保管部７の収容室２３に収容されて左右両側壁２０間の領域Ｓの内側にある。この保管状態Ｐで、可動支持体３０を上方へ回動させると、図６（ａ）（ｂ）に示す着脱操作状態Ｑとなり、医療用刃物１の刃部４の全体が下向き状態で保管部７の収容室２３から出されて左右両側壁２０間の領域Ｓの外側に突出し、この刃部４における左右方向Ｙの両側が開放される。この可動支持体３０の回動角度βの範囲は０〜６０度である。この着脱操作状態Ｑで、柄部２を把持して可動支持体３０及びホルダ６から上方へ持ち上げ、医療用刃物１を保護ケース５から取り外す。また、この着脱操作状態Ｑで、柄部２を可動支持体３０及びホルダ６に向けて下方へ近付け、その柄部２をホルダ６に支持して医療用刃物１を保護ケース５に取り付ける。その後、この着脱操作状態Ｑから前記保管状態Ｐに戻す。なお、前記保管部７の左右両側壁２０上やホルダ６の左右両後側壁１０上に形成された各凹部３２に医療用刃物１の柄部２を載せると、図４（ｂ）に示すように、柄部２の長手方向Ｘ２が左右方向Ｙへ延びる状態で、複数本の医療用刃物１を保護ケース５上に支持することができる。
【００２６】
次に、本発明の第２実施形態の別例にかかる医療用刃物の保護ケースについて第２実施形態との相違点を中心に図７を参照して説明する。
保管部７において、底壁部１９には切込み孔２９により片持ち梁状の可動支持体３０（板ばね）が上下方向Ｚの弾性を有するように形成され、この可動支持体３０の左右両側に凹状係脱部３３が形成されているとともに、この切込み孔２９の内周縁部の左右両側に凸状係脱部３４が形成されている。図７（ａ）（ｂ）に示す保管状態Ｐでは、医療用刃物１の柄部２の頭部２ａ付近が可動支持体３０の載置部３０ａ上に支持された状態で、その可動支持体３０が弾性力に抗して下方へ回動して可動支持体３０の凹状係脱部３３と切込み孔２９の凸状係脱部３４とが互いに係止され、この医療用刃物１の刃部４が下向き状態で保管部７の収容室２３に収容されて左右両側壁２０間の領域Ｓの内側にある。この保管状態Ｐで、可動支持体３０を持ち上げて可動支持体３０の凹状係脱部３３と切込み孔２９の凸状係脱部３４との係止を解除すると、この可動支持体３０が弾性力により上方へ回動して図７（ｃ）に示す着脱操作状態Ｑとなり、医療用刃物１の刃部４の全体が下向き状態で保管部７の収容室２３から出されて左右両側壁２０間の領域Ｓの外側に突出し、この刃部４における左右方向Ｙの両側が開放される。
【００２７】
次に、本発明の第１実施形態の別例１にかかる医療用刃物の保護ケースについて第１実施形態との相違点を中心に図８を参照して説明する。
前記保管部７において左右両側壁２０のうちホルダ６に支持された医療用刃物１の刃部４に対し左右方向Ｙで面する部分が、ホルダ６の前端部よりも左右方向Ｙの外側へ膨らみ、左右両側壁２０の内面間の左右方向幅Ｗ２０（約１８ｍｍ）がホルダ６の前端部の左右方向幅Ｗ６（約１１ｍｍ）よりも大きくなっている。そのため、保管状態Ｐでは、医療用刃物１の柄部２がホルダ６に支持された状態で、この医療用刃物１の刃部４が左右方向Ｙを向いた状態で保管部７の収容室２３に収容されても、その刃部４を左右両側壁２０の内面から充分に離した状態で左右両側壁２０間の領域Ｓの内側に位置させることができる。
【００２８】
次に、本発明の第１実施形態の別例２にかかる医療用刃物の保護ケースについて第１実施形態との相違点を中心に図９を参照して説明する。
前記保管部７において左右両側壁２０の上縁部２０ａのうちホルダ６に支持された医療用刃物１の刃部４の上方部分が、ホルダ６の前端部よりも上方へ突出し、その上縁部２０ａの高さＨ２０（約２０ｍｍ）がホルダ６の前端部の高さＨ６（約１５ｍｍ）よりも大きくなっている。そのため、保管状態Ｐでは、医療用刃物１の柄部２がホルダ６に支持された状態で、この医療用刃物１の刃部４が上向き状態で保管部７の収容室２３に収容されても、その刃部４を左右両側壁２０の上縁部２０ａから上方へ突出させることなく左右両側壁２０間の領域Ｓの内側に位置させることができる。
【００２９】
なお、図示しないが、第１実施形態の別例１の構成と第１実施形態の別例２の構成とを互いに組み合わせた構成にしてもよい。
【図面の簡単な説明】
【００３０】
【図１】（ａ）は第１実施形態にかかる保護ケースにおいて保管状態を示す正面図であり、（ｂ）は同じく平面図であり、（ｃ）はその保管状態を正面側から見た断面図である。
【図２】（ａ）は第１実施形態にかかる保護ケースにおいて着脱操作状態を示す正面図であり、（ｂ）は同じく平面図である。
【図３】（ａ）は保護ケースの保管状態を示す図１（ａ）のＡ−Ａ線拡大断面図であり、（ｂ）は保護ケースを保管状態から着脱操作状態にする途中の状態を示す（ａ）相当図である。
【図４】（ａ）は第２実施形態にかかる保護ケースにおいて保管状態を示す正面図であり、（ｂ）は同じく平面図である。
【図５】図４（ａ）の保管状態を正面側から見た断面図である。
【図６】（ａ）は第２実施形態にかかる保護ケースにおいて着脱操作状態を示す正面図であり、（ｂ）はその着脱操作状態を正面側から見た断面図である。
【図７】（ａ）は第２実施形態の別例にかかる保護ケースにおいて保管状態を正面側から見た断面図であり、（ｂ）は（ａ）の保護ケースを平面側から見た部分断面図であり、（ｃ）は第２実施形態の別例にかかる保護ケースにおいて着脱操作状態を正面側から見た断面図である。
【図８】（ａ）は第１実施形態の別例１にかかる保護ケースにおいて保管状態を示す部分正面図であり、（ｂ）は同じく部分平面図である。
【図９】（ａ）は第１実施形態の別例２にかかる保護ケースにおいて保管状態を示す部分正面図であり、（ｂ）はその保管状態を正面側から見た部分断面図である。
【符号の説明】
【００３１】
１…医療用刃物、２…柄部、４…刃部、５…保護ケース、６…ホルダ、７…保管部、８…載置台、１７ａ…ホルダの係脱部、２０…保管部の側壁、２５…回動支持部（可動手段としての可動連結部）、２７ａ…保管部の係脱部、３０…可動支持体（可動手段）、Ｐ…保管状態、Ｑ…着脱操作状態、Ｓ…保管部の両側壁間の領域、Ｘ２…柄部の長手方向、Ｚ…上下方向（着脱方向）。
【図１】
2006158505.tif 000003
【図２】
2006158505.tif 000004
【図３】
2006158505.tif 000005
【図４】
2006158505.tif 000006
【図５】
2006158505.tif 000007
【図６】
2006158505.tif 000008
【図７】
2006158505.tif 000009
【図８】
2006158505.tif 000010
【図９】
2006158505.tif 000011